(57)【特許請求の範囲】
【請求項１】
フィードバック情報の送信方法であって、
ユーザー設備が、専属フィードバックタイミング関係を確認するステップと、
前記ユーザー設備が、前記確認した前記専属フィードバックタイミング関係に基づき、プライマリーキャリアにてダウンリンクデータに対応するフィードバック情報を伝送するステップと、を備え、
前記ユーザー設備は、異なる時間分割複信ＴＤＤアップ／ダウンリンク配置を利用するキャリア・アグリゲーションを実行するユーザー設備であり、
前記専属フィードバックタイミング関係は、Ｒｅｌ−８  ＴＤＤシステムが支援するフィードバックタイミング関係のうちの１つであり、
0005916851.tif 000004
【請求項２】
専属フィードバックタイミング関係に基づいて確認したダウンリンクデータに対応するフィードバック情報を伝送するアップリンクサブフレームは、プライマリーキャリアでのアップリンクサブフレームのサブセット、または、フルセットであることを特徴とする請求項１に記載のフィードバック情報の送信方法。
【請求項３】
前記ユーザー設備の専属フィードバックタイミング関係を確認するステップは、前記ユーザー設備が、ネットワーク側が配置する専属フィードバックタイミング関係を確認するステップと、を含み、
ネットワーク側が配置する前記専属フィードバックタイミング関係とプライマリーキャリアに対応するフィードバックタイミング関係は同じであるか、または、ネットワーク側が配置する前記専属フィードバックタイミング関係に対応するＴＤＤアップ／ダウンリンク配置におけるアップリンクサブフレームは、ユーザー設備が集める任意のキャリアにおけるアップリンクサブフレームのサブセットまたはフルセットであることを特徴とする請求項１に記載のフィードバック情報の送信方法。
【請求項４】
前記ユーザー設備の専属フィードバックタイミング関係を確認するステップは、前記ユーザー設備が、予め約束した専属フィードバックタイミング関係を確認するステップを含み、
プライマリーキャリアに対応するフィードバックタイミング関係を予め約束して利用し、専属フィードバックタイミング関係とするか、または、プライマリーキャリアが対応するフィードバックタイミング関係に対応するＴＤＤアップ／ダウンリンク配置が、０または１または２または６であると予め約束した場合、ＴＤＤアップ／ダウンリンク配置２に対応するフィードバックタイミング関係を利用し、前記専属フィードバックタイミング関係とし、プライマリーキャリアが対応するフィードバックタイミング関係に対応するＴＤＤアップ／ダウンリンク配置は３または４である場合、ＴＤＤアップ／ダウンリンク配置４に対応するフィードバックタイミング関係を利用し、前記専属フィードバックタイミング関係とすることを特徴とする請求項１に記載のフィードバック情報の送信方法。
【請求項５】
前記ユーザー設備がフィードバック情報を送信する前に、さらに、特定キャリアにおいて、専属フィードバックタイミング関係が、ダウンリンクに対応し、キャリアがアップリンクに対応する前記キャリアをアップリンクの第１特定サブフレームとし、前記ユーザー設備が、第１特定サブフレームに対し、フィードバック情報を送信するステップを備え、
前記特定キャリアのＴＤＤアップ／ダウンリンク配置と専属フィードバックタイミング関係に対応するＴＤＤアップ／ダウンリンク配置は、異なることを特徴とする請求項１乃至４の何れか１項に記載のフィードバック情報の送信方法。
【請求項６】
前記ユーザー設備がフィードバック情報を送信する前に、さらに、前記ユーザー設備が、特定キャリアにおいて、専属フィードバックタイミング関係にたいしてアップリンクとして対応され、前記キャリアに対してダウンリンクとして対応される第２特定サブフレームに対応する、フィードバック情報を特別処理するステップを備え、
前記特定キャリアのＴＤＤアップ／ダウンリンク配置と専属フィードバックタイミング関係に対応するＴＤＤアップ／ダウンリンク配置は異なることを特徴とする請求項１乃至４のいずれか１項に記載のフィードバック情報の送信方法。
【請求項７】
前記ユーザー設備による、前記第２特定サブフレームに対応するフィードバック情報の特別処理は、
（i）ユーザー設備が第２特定サブフレームへフィードバック情報を送信しないステップ、または、（ii）前記ユーザー設備が、第２特定サブフレームに対応するフィードバック情報と第２特定サブフレームの前または後の直近の少なくとも１つのダウンリンクサブフレームに位置するフィードバック情報を合併し、かつ、第２特定サブフレームの前または後の直近の少なくとも１つのダウンリンクサブフレームのフィードバック情報の位置を占用し、合併後のフィードバック情報を送信するステップ、を含むこと特徴とする請求項６に記載のフィードバック情報の送信方法。
【請求項８】
ネットワーク側設備が、専属フィードバックタイミング関係を確認するステップと、
前記ネットワーク側設備が、前記確認した専属フィードバックタイミング関係に基づき、ユーザー設備のプライマリーキャリア上のユーザー設備からフィードバック情報を受信するステップと、を備え、
前記ユーザー設備は、異なるＴＤＤアップ／ダウンリンク配置を利用するキャリア・アグリゲーションのユーザー設備であり、
前記専属フィードバックタイミング関係は、Ｒｅｌ−８  ＴＤＤシステムが支援するフィードバックタイミング関係のうちの１つであり、
0005916851.tif 000005
【請求項９】
前記専属フィードバックタイミング関係が確認したダウンリンクデータに対応するフィードバック情報を伝送するアップリンクサブフレームは、プライマリーキャリアにおいてアップリンクサブフレームのサブセットまたはフルセットであることを特徴とする請求項８に記載のフィードバック情報の受信方法。
【請求項１０】
フィードバック情報を受信する前に、さらに、前記ネットワーク側設備が、ユーザー設備に専属フィードバックタイミング関係を配置するステップを備え、
配置した専属フィードバックタイミング関係とプライマリーキャリアに対応するフィードバックタイミング関係は同じであるが、または、配置した専属フィードバックタイミング関係に対応するＴＤＤアップ／ダウンリンク配置におけるアップリンクサブフレームは、ユーザー設備が集合させる任意のキャリアにおけるアップリンクサブフレームのサブセットまたはフルセットであることを特徴とする請求項８に記載のフィードバック情報の受信方法。
【請求項１１】
前記ネットワーク側設備の専属フィードバックタイミング関係の確認するステップは、前記ネットワーク側設備が、予め約束した専属フィードバックタイミング関係を確認するステップを含み、
プライマリーキャリアに対応するフィードバックタイミング関係を予め約束して利用し、前記専属フィードバックタイミング関係とするか、または、プライマリーキャリアが対応するフィードバックタイミング関係に対応するＴＤＤアップ／ダウンリンク配置は０または１または２または６であると予め約束した場合、ＴＤＤアップ／ダウンリンク配置２に対応するフィードバックタイミング関係を利用し、前記専属フィードバックタイミング関係とし、プライマリーキャリアが対応するフィードバックタイミング関係に対応するＴＤＤアップ／ダウンリンク配置が３または４である場合、ＴＤＤアップ／ダウンリンク配置４に対応するフィードバックタイミング関係を利用し、前記専属フィードバックタイミング関係とすることを特徴とする請求項８乃至１０のいずれか１項に記載のフィードバック情報の受信方法。
【請求項１２】
異なるＴＤＤアップ／ダウンリンク配置のキャリアを利用してアグリゲーションを実行する、フィードバック情報を送信する設備であって、
専属フィードバックタイミング関係を確認する、第１タイミング関係確認モジュールと、
前記確認した専属フィードバックタイミング関係に基づいて、プライマリーキャリアにてダウンリンクデータに対応するフィードバック情報を伝送する、送信モジュールと、
を備え、
前記専属フィードバックタイミング関係は、Ｒｅｌ−８  ＴＤＤシステムが支援するフィードバックタイミング関係のうちの１つであり、
0005916851.tif 000006
【請求項１３】
前記第１タイミング関係確認モジュールは、ネットワーク側が配置する専属フィードバックタイミング関係を確認し、
ネットワーク側が配置する前記専属フィードバックタイミング関係とプライマリーキャリアに対応するフィードバックタイミング関係は、同じであるか、または、ネットワーク側が配置する前記専属フィードバックタイミング関係に対応するＴＤＤアップ／ダウンリンク配置におけるアップリンクサブフレームは、ユーザー設備が集める任意のキャリアにおけるアップリンクサブフレームのサブセットであるまたはフルセットであることを特徴とする請求項１２に記載のフィードバック情報を送信する設備。
【請求項１４】
前記第１タイミング関係確認モジュールは、予め約束した専属フィードバックタイミング関係を確認し、
プライマリーキャリアに対応するフィードバックタイミング関係を予め約束して利用し、前記専属フィードバックタイミング関係とするか、または、プライマリーキャリアが対応するフィードバックタイミング関係に対応するＴＤＤアップ／ダウンリンク配置は、０または１または２または６であると予め約束した場合、ＴＤＤアップ／ダウンリンク配置２に対応するフィードバックタイミング関係を利用し、前記専属フィードバックタイミング関係とし、プライマリーキャリアが対応するフィードバックタイミング関係に対応するＴＤＤアップ／ダウンリンク配置は３または４である場合、ＴＤＤアップ／ダウンリンク配置４に対応するフィードバックタイミング関係を利用し、前記専属フィードバックタイミング関係とすることを特徴とする請求項１２に記載のフィードバック情報を送信する設備。
【請求項１５】
専属フィードバックタイミング関係を確認する、第２タイミング関係確認モジュールと、
前記確認した専属フィードバックタイミング関係に基づき、異なるＴＤＤアップ／ダウンリンク配置を利用するキャリア・アグリゲーションを実行するユーザー設備のプライマリーキャリアにてユーザー設備からのフィードバック情報を受信する、受信モジュールと、を備え、
前記専属フィードバックタイミング関係は、Ｒｅｌ−８  ＴＤＤシステムが支援するフィードバックタイミング関係のうちの１つであり、
0005916851.tif 000007
【請求項１６】
前記第２タイミング関係確認モジュールは、
前記ユーザー設備に専属フィードバックタイミング関係を配置し、
前記配置した専属フィードバックタイミング関係とプライマリーキャリアに対応するフィードバックタイミング関係は、同じであるか、または、配置した専属フィードバックタイミング関係に対応するＴＤＤアップ／ダウンリンク配置におけるアップリンクサブフレームは、ユーザー設備が集合させる任意のキャリアにおけるアップリンクサブフレームのサブセットであることを特徴とする請求項１５に記載のフィードバック情報を受信する設備。
【請求項１７】
前記第２タイミング関係確認モジュールは、予め約束した専属フィードバックタイミング関係を確認し、
プライマリーキャリアに対応するフィードバックタイミング関係を予め約束して利用し、前記専属フィードバックタイミング関係とするか、または、プライマリーキャリアが対応するフィードバックタイミング関係に対応するＴＤＤアップ／ダウンリンク配置は０または１または２または６であると予め約束した場合、ＴＤＤアップ／ダウンリンク配置２に対応するフィードバックタイミング関係を利用し、前記専属フィードバックタイミング関係とし、プライマリーキャリアが対応するフィードバックタイミング関係に対応するＴＤＤアップ／ダウンリンク配置が３または４である場合、ＴＤＤアップ／ダウンリンク配置４に対応するフィードバックタイミング関係を利用し、前記専属フィードバックタイミング関係とすることを特徴とする請求項１５に記載のフィードバック情報を受信する設備。
【発明の詳細な説明】
【技術分野】
【０００１】
本発明は無線通信技術分野に関し、特にフィードバック情報の送・受信方法、システムおよび装置に関する。
【０００２】
本出願は２０１１年６月３０日に中国特許局に提出し、出願番号が２０１１１０１８３３５９．３であり、発明名称が「フィードバック情報の送・受信方法、システムおよび装置」である中国特許出願を基礎とする優先権を主張し、その開示の総てをここに取り込む。
【背景技術】
【０００３】
図１Ａが示すように、現在のＬＴＥ（Ｌｏｎｇ  Ｔｅｒｍ  Ｅｖｏｌｕｔｉｏｎ，ロングターム・エボリューション）システムは、１セルには１キャリアしかなく、かつ、最大帯域幅は２０Ｍｈｚである。
【０００４】
ＬＴＥ−Ａ（ＬＴＥ−Ａｄｖａｎｃｅｄ，ロングターム・エボリューション・アドバンスト）システムについて、ＬＴＥ−Ａシステムのピーク速度は、ＬＴＥシステムに比べ、大きく向上され、ＬＴＥ−Ａシステムで求めるピーク速度は、ダウンリンクｌＧｂｐｓ、アップリンク５００Ｍｂｐｓに達することである。当然、２０Ｍｈｚの帯域幅はすでにこのようなニーズを満たすことができないのは明らかである。ＬＴＥ−Ａシステムを要求に合致させるため、ＣＡ（Ｃａｒｒｉｅｒ−Ａｇｇｒｅｇａｔｉｏｎ，キャリア・アグリゲーション）技術を導入する。即ち、同一セルにおいて、連続または非連続の複数キャリアを一つに束ね、必要な場合に同時に端末にサービスを提供することにより、求められる速度を提供する。よって、ＬＴＥ−Ａシステムは、マルチキャリアシステムである。ＬＴＥ−Ａシステムの端末が、各集合キャリアにて動作することを確保するため、各キャリアは、最大２０Ｍｈｚを超えない。ＬＴＥ−ＡのＣＡ技術は、図１Ｂに示すようである。
【０００５】
図１ＢにおけるＬＴＥ−Ａシステムにおいては、４キャリアが集合している。基地局は、４キャリアと端末にて同時にデータを伝送でき、これによりシステムスループットを高める。
【０００６】
ＬＴＥ  ＴＤＤシステムについて、ＵＥ（ユーザー設備）は、おそらくアップリンクサブフレームにおいて複数ダウンリンクサブフレームが対応するＡＣＫ／ＮＡＣＫ（確認／非確認）情報をフィードバックする。即ち、ＵＥは、ダウンリンクサブフレームｎ−ｋでのデータに対する復調、デコードを終了後、アップリンクサブフレームｎにて、基地局へ、当該ダウンリンクサブフレームのデータを再伝送する必要があるのかのシグナリング（即ち、ＡＣＫ／ＮＡＣＫ）をフィードバックする。ｋ∈Ｋ、集合Ｋの値の取得とシステムのアップ／ダウンリンク配置および具体的なサブフレーム番号は関連している。具体的には表１を参照できる。  
【表１】
0005916851.tif 000002
【０００７】
複数無線フレームが順序付け、即ち、もし無線フレームaにて最後のサブフレームがｋであれば、無線フレームa＋１にて最初のサブフレームはｋ＋１である。表１は、1つの無線フレームのみを例に挙げ各アップリンクサブフレームのＫに対する状況を示す。ここで、ｎ−ｋ＜０であれば、１つ前の無線フレームにおけるダウンリンクサブフレームを示す。
【発明の概要】
【発明の解決しようとする課題】
【０００８】
図１Ｃに示すように、ＬＴＥ  Ｒｅｌ−１１またはこれ以降のバージョンのシステムにおいて、他のＴＤＤ（Ｔｉｍｅ  ｄｉｖｉｓｉｏｎ  ｄｕｐｌｅｘ，時分割複信）システムに対する干渉を避けるため、異なるｂａｎｄ（バンド）に位置するＬＴＥセルは、おそらく異なるＴＤＤアップ／ダウンリンクサブフレーム配置を利用する。ここで、キャリア１とキャリア２はＢａｎｄ−Ａに位置し、キャリア３はＢａｎｄ  Ｂに位置し、セル１、セル２およびセル３はそれぞれキャリア１、キャリア２およびキャリア３でのセルである。セル１とセル２のＴＤＤアップ／ダウンリンク配置は同じで、全て配置１とする。セル３のＴＤＤアップ／ダウンリンクサブフレーム配置はセル１とセル２とは異なり、配置２とする。もし、ＵＥがこの３つのセルを用いるキャリア・アグリゲーションを希望すれば、ＵＥの全アグリゲーションセルにおいて、多様なＴＤＤアップ／ダウンリンク配置が生まれる状況となる。
【０００９】
現在、異なるＴＤＤアップ／ダウンリンク配置を利用するキャリア・アグリゲーション実行後にフィードバック情報を伝送する方案がまだない。
【発明を解決するための手段】
【００１０】
本発明に係る実施形態は、異なるＴＤＤアップ／ダウンリンク配置を利用するキャリア・アグリゲーション実行後にフィードバック情報を伝送するフィードバック情報の送・受信方法、システムおよび装置を提供する。  
本発明に係るフィードバック情報の送信方法は、
ユーザー設備が、専属フィードバックタイミング関係を確認するステップと、
前記ユーザー設備が確認した専属フィードバックタイミング関係に基づき、プライマリーキャリアにてダウンリンクデータに対応するフィードバック情報を伝送するステップと、を備え、
ここで、前記ユーザー設備は、異なる時間分割複信ＴＤＤアップ／ダウンリンク配置を利用するキャリア・アグリゲーションを実行するユーザー設備である。
【００１１】
本発明に係るフィードバック情報の受信方法は、  
ネットワーク側設備が専属フィードバックタイミング関係を確認するステップと、
前記ネットワーク側設備が確認した専属フィードバックタイミング関係に基づき、ユーザー設備のプライマリーキャリアにて前記ユーザー設備からのフィードバック情報を受信するステップと、を備え、
前記ユーザー設備は、異なるＴＤＤアップ／ダウンリンク配置を利用するキャリア・アグリゲーションを実行するユーザー設備である。
【００１２】
本発明に係るフィードバック情報を送信する設備は、異なるＴＤＤアップ／ダウンリンク配置を利用するキャリア・アグリゲーションを実行し、
前記設備は、
専属フィードバックタイミング関係を確認する、第１タイミング関係確認モジュールと、
確認した専属フィードバックタイミング関係に基づき、プライマリーキャリアにてダウンリンクデータに対応するフィードバック情報を伝送する送信モジュールと、を備える。
【００１３】
本発明に係るフィードバック情報を受信する設備は、
専属フィードバックタイミング関係を確認する、第２タイミング関係確認モジュールと、
確認した専属フィードバックタイミング関係に基づき、ユーザー設備のプライマリーキャリアにて前記ユーザー設備からのフィードバック情報を受信する、受信モジュールと、を備え、
前記ユーザー設備は、異なるＴＤＤアップ／ダウンリンク配置を利用するキャリア・アグリゲーションを実行するユーザー設備である。
【００１４】
本発明に係るフィードバック情報を伝送するシステムは、
専属フィードバックタイミング関係を確認し、確認した専属フィードバックタイミング関係に基づき、プライマリーキャリアにてダウンリンクデータに対応するフィードバック情報を伝送する、異なるＴＤＤアップ／ダウンリンク配置を利用するキャリア・アグリゲーションを実行するユーザー設備と、
専属フィードバックタイミング関係を確認し、確認した専属フィードバックタイミング関係に基づき、異なるＴＤＤアップ／ダウンリンク配置を利用するキャリア・アグリゲーションを実行するユーザー設備のプライマリーキャリアにて前記ユーザー設備からのフィードバック情報を受信する、ネットワーク側設備と、を備える。
【発明の効果】
【００１５】
異なるＴＤＤアップ／ダウンリンク配置を利用するキャリア・アグリゲーション実行後にフィードバック情報を伝送できるため、異なるＴＤＤアップ／ダウンリンク配置を利用するキャリア・アグリゲーション実行後の伝送効率とシステム性能を高める。
【図面の簡単な説明】
【００１６】
【図１Ａ】図１Ａは背景技術における単一周波数スペクトルシステムを示す図である。
【図１Ｂ】図１Ｂは、背景技術における周波数スペクトル・アグリゲーションシステムを示す図である。
【図１Ｃ】図１Ｃは、背景技術において異なるｂａｎｄの異なるＴＤＤアップ／ダウンリンクサブフレーム配置の利用を示す図である。
【図２】図２は、本発明に係る実施形態においてフィードバック情報を伝送するシステム構造を示す図である。
【図３】図３は、本発明に係る実施形態においてユーザー設備の構造を示す図である。
【図４】図４は、本発明に係る実施形態においてネットワーク側設備の構造を示す図である。
【図５】図５は、本発明に係る実施形態におけるフィードバック情報の送信方法のフロー図である。
【図６】図６は、本発明に係る実施形態におけるフィードバック情報の受信方法のフロー図である。
【図７】図７は、本発明に係る実施形態おいて第１種フィードバック情報を示す図である。
【図８】図８は、本発明に係る実施形態において第２種フィードバック情報を示す図である。
【図９】図９は、本発明に係る実施形態おいて第３種フィードバック情報を示す図である。
【図１０】図１０は、本発明に係る実施形態おいて第４種フィードバック情報を示す図である。
【図１１】図１１は、本発明に係る実施形態おいて第５種フィードバック情報を示す図である。
【図１２】図１２は、本発明に係る実施形態おいて第６種フィードバック情報を示す図である。
【図１３】図１３は、本発明に係る実施形態おいて第７種フィードバック情報を示す図である。
【発明を実施するための形態】
【００１７】
本発明に係る実施形態において、異なるＴＤＤアップ／ダウンリンク配置を利用するキャリア・アグリゲーションを実行するユーザー設備は、専属フィードバックタイミング関係に基づき、プライマリーキャリアにてダウンリンクデータに対応するフィードバック情報を伝送する。異なるＴＤＤアップ／ダウンリンク配置を利用するキャリア・アグリゲーション実行後にフィードバック情報を伝送できるため、異なるＴＤＤアップ／ダウンリンク配置を利用するキャリア・アグリゲーション実行後の伝送効率とシステム性能を高める。
【００１８】
ユーザー設備が集合させるキャリアは、プライマリーキャリアＰＣｅｌｌとセカンドリキャリＳＣｅｌｌに分かれる。
【００１９】
プライマリーキャリア：端末が集合させる複数セルにおいて、１つのキャリアのみがプライマリーキャリアと定義される。プライマリーキャリアは、基地局により選択され、かつ、ＲＲＣ（Ｒａｄｉｏ  Ｒｅｓｏｕｒｃｅ  Ｃｏｎｔｒｏｌ，無線リソース制御）シグナリングを介して端末に配置される。プライマリーキャリアにおいてのみＰＵＣＣＨ（Ｐｈｙｓｉｃａｌ  Ｕｐｌｉｎｋ  Ｃｏｎｔｒｏｌ  Ｃｈａｎｎｅｌ，物理層アップリンク制御チャネル）が配置される。
【００２０】
セカンドリキャリ：端末が集合させる全セルにおいて、プライマリーキャリア以外のキャリアは全てプライマリーキャリアである。
【００２１】
ここで、専属フィードバックタイミング関係は、専ら異なるＴＤＤアップ／ダウンリンク配置を利用するキャリア・アグリゲーションを実行するユーザー設備が利用する送信フィードバックタイミング関係である。
【００２２】
以下に紹介するユーザー設備は特別な説明ではない限り、全て異なるＴＤＤアップ／ダウンリンク配置を利用するキャリア・アグリゲーションを実行するユーザー設備である。ここでは説明を繰り返さない。
【００２３】
以下の説明過程において、まず、ネットワーク側とユーザー設備側の組み合わせによる実施形態から説明し、最後にネットワーク側とユーザー設備側それぞれの実施形態から説明する。しかし、これは両者を必ず組み合わせて実行しなければならないことを意味しない。実際は、ネットワーク側とユーザー設備側を分けて実行する場合、それぞれネットワーク側、ユーザー設備側にそれぞれ存在する問題も解決し、両者をあわせて利用した場合にのみ、より良い技術效果を得ることができる。
【００２４】
以下に本発明の図面を結合して、本発明に係る実施形態に対してさらに詳細に説明する。
【００２５】
図２は、本発明に係るフィードバック情報を伝送するシステムであり、異なるＴＤＤアップ／ダウンリンク配置を利用するキャリア・アグリゲーションを実行するユーザー設備１０とネットワーク側設備２０を備える。
【００２６】
異なるＴＤＤアップ／ダウンリンク配置を利用するキャリア・アグリゲーションを実行するユーザー設備１０は、専属フィードバックタイミング関係を確認し、確認した専属フィードバックタイミング関係に基づき、プライマリーキャリアにてダウンリンクデータに対応するフィードバック情報を伝送する。
【００２７】
ネットワーク側設備２０は、専属フィードバックタイミング関係を確認し、確認した専属フィードバックタイミング関係に基づき、異なるＴＤＤアップ／ダウンリンク配置を利用するキャリア・アグリゲーションを実行するユーザー設備のプライマリーキャリアにてユーザー設備からのフィードバック情報を受信する。
【００２８】
ここで、ダウンリンクデータは、以下のデータにおける少なくとも１つを含むがこれに限らない。
【００２９】
動的スケジューリングのＰＤＳＣＨ（Ｐｈｙｓｉｃａｌ  Ｄｏｗｎｌｉｎｋ  Ｓｈａｒｅｄ  Ｃｈａｎｎｅｌ，物理ダウンリンクリンク共有チャネル）、半動的スケジューリングのＰＤＳＣＨとＳＰＳ（Ｓｅｍｉ−Ｐｅｒｓｉｓｔｅｎｔ  Ｓｃｈｅｄｕｌｅ，半持続的スケジューリング）にリソースリリースを指示するＰＤＣＣＨ（Ｐｈｙｓｉｃａｌ  Ｄｏｗｎｌｉｎｋ  Ｃｏｎｔｒｏｌ  Ｃｈａｎｎｅｌ，物理ダウンリンク制御チャネル）。
【００３０】
好ましくは、専属フィードバックタイミング関係は、以下の条件における少なくとも１つを満たす。
【００３１】
（１）専属フィードバックタイミング関係は、Ｒｅｌ−８  ＴＤＤシステムが支援するフィードバックタイミング関係のうちの１つである。例えば、表１における１つである。詳細はプロトコルＴＳ３６．２１３を参照できる。
【００３２】
（２）専属フィードバックタイミング関係に基づき確認したダウンリンクデータに対応するフィードバック情報を伝送するアップリンクサブフレームは、プライマリーキャリアでのアップリンクサブフレームのサブセットまたはフルセットである。即ち、専属タイミング関係に基づき、ＡＣＫ／ＮＡＣＫフィードバックを行う場合、対応するフィードバックサブフレームは、プライマリーキャリアにおける少なくとも１つのアップリンクサブフレームである。
【００３３】
好ましくは、ユーザー設備１０が確認する専属フィードバックタイミング関係は、ネットワーク側が配置してもよく、予め約束してもよい。もし、ユーザー設備１０が確認する専属フィードバックタイミング関係は、ネットワーク側が配置したものであれば、ネットワーク側設備２０が確認した専属フィードバックタイミング関係をユーザー設備１０に配置する。もし、ユーザー設備１０が確認する専属フィードバックタイミング関係は予め約束できるのであれば、ネットワーク側設備２０が確認した専属フィードバックタイミング関係も予め約束する。以下にそれぞれの説明を記述する。
【００３４】
〈方式一〉
専属フィードバックタイミング関係をネットワーク側が配置する。
【００３５】
具体的に、ネットワーク側設備２０は、ユーザー設備１０に専属フィードバックタイミング関係を配置する。ユーザー設備１０は、ネットワーク側が配置する専属フィードバックタイミング関係を確認する。
【００３６】
ここで、ネットワーク側が配置する専属フィードバックタイミング関係とプライマリーキャリアに対応するフィードバックタイミング関係は同じである（即ち、ネットワーク側は、プライマリーキャリアに対応するフィードバックタイミング関係を専属フィードバックタイミング関係とし、ユーザー設備１０に配置する）。
【００３７】
または、ネットワーク側が配置する専属フィードバックタイミング関係に対応するＴＤＤアップ／ダウンリンク配置におけるアップリンクサブフレームは、ユーザー設備が集合させる任意のキャリア（この任意のキャリアは１つのキャリアでもよく、複数キャリアでもよい）でのアップリンクサブフレームのサブセットまたはフルセットである。
【００３８】
〈方式二〉
専属フィードバックタイミング関係を予め約束する。即ち、プロトコルを介して予めユーザー設備１０に配置する。
【００３９】
具体的に、ユーザー設備１０は予め約束した専属フィードバックタイミング関係を確認し、ネットワーク側設備２０は予め約束した専属フィードバックタイミング関係を確認する。
【００４０】
ここで、予め約束した専属フィードバックタイミング関係とプライマリーキャリアに対応するフィードバックタイミング関係は同じである（即ち、ユーザー設備１０は、プライマリーキャリアに対応するフィードバックタイミング関係を専属フィードバックタイミング関係とする）。
【００４１】
または、プライマリーキャリアが対応するフィードバックタイミング関係に対応するＴＤＤアップ／ダウンリンク配置が０または１または２または６（表１参照）である場合、予め配置を約束した専属フィードバックタイミング関係は、ＴＤＤアップ／ダウンリンク配置２に対応するフィードバックタイミング関係である。プライマリーキャリアが対応するフィードバックタイミング関係に対応するＴＤＤアップ／ダウンリンク配置が３または４（表１参照）である場合、予め約束した専属フィードバックタイミング関係は、ＴＤＤアップ／ダウンリンク配置４に対応するフィードバックタイミング関係である。
【００４２】
説明が必要な点として、どの方式を用いたとしても、ネットワーク側設備２０とユーザー設備１０は全て同じ専属タイミング関係を利用すべきであり、具体的にプロトコルを介して約束するか、ネットワーク側がどの方式を用いるかを通知できることである。  
実施過程において、ユーザー設備１０がフィードバック情報を送信する前に、さらにネットワーク側設備２０がフィードバック情報を受信する前に、さらにフィードバック情報ビット数を確認できる。
【００４３】
好ましくは、伝送ダウンリンクデータが対応するＡＣＫ／ＮＡＣＫ情報について、ＡＣＫ／ＮＡＣＫ  ｃｏｄｅｂｏｏｋの大きさは、専属のＡＣＫ／ＮＡＣＫフィードバックタイミング関係に基づき、確認する。
【００４４】
0005916851.tif 000003
【００４５】
好ましくは、ユーザー設備がフィードバック情報を送信する前に、さらに具体的なフィードバック情報を確認できる。異なるキャリアでのフィードバック情報は全てプライマリーキャリアにて伝送しなければならないため、異なるキャリアにて少なくとも２種類のＴＤＤアップ／ダウンリンク配置がある。よって、あるサブフレームについて、おそらく専属フィードバックタイミング関係は、ダウンリンクに対応し、キャリアはアップリンクに対応する。または、専属フィードバックタイミング関係は、アップリンクに対応し、キャリアダウンリンクに対応するという状況となる。
【００４６】
これらサブフレームに対する好ましい処理方法は、
対応するＴＤＤアップ／ダウンリンク配置と専属フィードバックタイミング関係に対応するＴＤＤアップ／ダウンリンク配置が異なるキャリアにおいて、専属フィードバックタイミング関係が、ダウンリンクに対応し、キャリアがアップリンクに対応する第１特定サブフレームについて、ユーザー設備が、第１特定サブフレームに対し、フィードバック情報を送信し、
対応するＴＤＤアップ／ダウンリンク配置と専属フィードバックタイミング関係に対応するＴＤＤアップ／ダウンリンク配置が異なるキャリアにおいて、専属フィードバックタイミング関係に対してアップリンクとして対応され、キャリアに対してダウンリンクに対応される第２特定サブフレームについて、前記ユーザー設備が、前記第２特定サブフレームに対応するフィードバック情報を特別処理する。
【００４７】
前記ユーザー設備の、前記第２特定サブフレームに対応するフィードバック情報の特別処理は、第２特定サブフレームについて、ユーザー設備が第２特定サブフレームへフィードバック情報を送信しないことと、または、第２特定サブフレームに対応するフィードバック情報と第２特定サブフレームの前または後の直近の少なくとも１つのダウンリンクサブフレームに位置するフィードバック情報を合併し、かつ、第２特定サブフレームの前、または、後の直近の少なくとも１つのダウンリンクサブフレームのフィードバック情報の位置を占用し、合併後のフィードバック情報を送信することと、を備える。
【００４８】
ここで、本発明に係るネットワーク側設備は、基地局（例、マクロ基地局、ホーム基地局等）でもよく、ＲＮ（中継）設備でもよく、さらに他のネットワーク側設備でもよい。
【００４９】
以下に例を挙げ、第１特定サブフレームと第２特定サブフレームの処理方法について詳細に説明する。
【００５０】
〈実施形態１〉
図７に示すように、ＴＤＤアップ／ダウンリンク配置２が対応するフィードバックタイミング関係を利用し、専属フィードバックタイミング関係とする。ＵＥは、ＴＤＤアップ／ダウンリンク配置１と配置２の２種類のキャリアが集合している。ＵＥは、〈数１〉を用いて、専属タイミング関係に基づき、フィードバックするＡＣＫ／ＮＡＣＫビット数を確認する。ここで、Ｂａｎｄ１内のサブフレーム３と８について、アップリンクサブフレームではあるが、これに対応し、フィードバック情報を提供して、フィードバック情報序列における他のビット位置を正確に確保しなければならない。
【００５１】
アップリンクサブフレームに対応しないフィードバック情報があるため、好ましい方式は、アップリンクサブフレームに対応するフィードバック情報は、ＮＡＣＫ情報である。しかし、ＡＣＫを約束して利用しもてよい。後続の実施形態において、アップリンクサブフレームに対応するフィードバック情報は、ＮＡＣＫ情報であることを例に挙げ説明する。ＡＣＫを用いる方式とＮＡＣＫを用いる方式は類似しているため、ここでは説明を繰り返さない。
【００５２】
図７を例に挙げ、もし、〈数２〉を用いてフィードバック情報ビット数を確認すると、各キャリアがそれぞれ計算後に和を求めるため、Ｂａｎｄ１内のサブフレーム３と８はフィードバック情報を提供しなくてもよい。
【００５３】
〈実施形態２〉
ＴＤＤアップ／ダウンリンク配置１が対応するフィードバックタイミング関係を利用し、専属フィードバックタイミング関係とする。ＵＥは、ＴＤＤアップ／ダウンリンク配置１と配置２の２種類のキャリアが集合している。ＵＥは、専属タイミング関係に基づき、フィードバックするＡＣＫ／ＮＡＣＫビット数を確認する。ここで、実施形態２には２種類の処理方法がある。
【００５４】
〈方式１〉
図８に示すように、Ｂａｎｄ２内のサブフレーム３とサブフレーム８はＡＣＫ／ＮＡＣＫ情報をフィードバックしない。
【００５５】
〈方式２〉
図９に示すように、Ｂａｎｄ２内のサブフレーム３とサブフレーム８は、隣接するダウンリンクサブフレームをＡＣＫ／ＮＡＣＫ合併後、さらにフィードバックする。合併後のＡＣＫ／ＮＡＣＫ情報は、隣接サブフレーム（即ち、サブフレーム４とサブフレーム９）のＡＣＫ／ＮＡＣＫ情報位置を占用する。
【００５６】
実施形態２について、数１による数式を用いる場合と、数２による数式を用いる場合の效果は同じである。
【００５７】
〈実施形態３〉
ＴＤＤアップ／ダウンリンク配置１が対応するフィードバックタイミング関係を利用し、専属フィードバックタイミング関係とする。ＵＥは、ＴＤＤアップ／ダウンリンク配置１と配置２の２種類のキャリアが集合しているが、異なるｂａｎｄでは同期しない。即ち、対応するサブフレーム番号は異なる。ＵＥは、専属タイミング関係に基づき、ＡＣＫ／ＮＡＣＫをフィードバックし、かつ、フィードバックしたＡＣＫ／ＮＡＣＫビット数を確認する。ここで、実施形態３には２種類の処理方法がある。
【００５８】
〈方式１〉
図１０に示すように、Ｂａｎｄ２内のサブフレーム０と１は、ＡＣＫ／ＮＡＣＫ情報をフィードバックしない。もし、数１による数式を用いると、Ｂａｎｄ２内のサブフレーム２は、アップリンクサブフレームではあるがこれに対応してＮＡＣＫ情報を提供しなければならない。一方、数２による数式を用いれば、ｂａｎｄ２内のサブフレーム２は、フィードバック情報を提供しなくてもよい。
【００５９】
〈方式２〉
図１１に示すように、Ｂａｎｄ２内のサブフレーム０とサブフレーム１は、つながっているダウンリンクサブフレームにてＡＣＫ／ＮＡＣＫを合併後、さらにフィードバックする。合併後のＡＣＫ／ＮＡＣＫ情報は、隣接サブフレーム（即ち、サブフレーム９とサブフレーム４）のＡＣＫ／ＮＡＣＫ情報位置を占用する。もし、数１による数式を用いると、Ｂａｎｄ２内のサブフレーム２は、アップリンクサブフレームではあるが、これに対応してＮＡＣＫ情報を提供しなければならない。一方、数２による数式を用いれば、ｂａｎｄ２内のサブフレーム２は、フィードバック情報を提供しなくてもよい。
【００６０】
〈方式３〉
図１２と図１３が示すように、数１による数式を用いて、Ｂａｎｄ２内のサブフレーム０と１は、つながっているアップリンクサブフレームとＡＣＫ／ＮＡＣＫを合併後、さらにフィードバックする。かつ、当該アップリンクサブフレームが専属タイミング関係におけるダウンリンクサブフレームに対応する場合、隣接するアップリンクサブフレームは、実際にはＡＣＫ／ＮＡＣＫ合併参加せず、サブフレーム０とサブフレーム１に対応するＡＣＫ／ＮＡＣＫ情報を合併させればよい。
【００６１】
説明が必要な点として、前記の例に挙げたものは２つのキャリアおよびＴＤＤアップ／ダウンリンク配置１と配置２であり、他のキャリア数および他の配置方式は前記の例と類似しているため、ここでは説明を繰り返さない。
【００６２】
同様な発明思想に基づき、本発明に係る実施形態はさらに、ユーザー設備、ネットワーク側設備、フィードバック情報の送信方法およびフィードバック情報の受信方法を提供する。これら設備と方法が解決する問題の原理とフィードバック情報を伝送するシステムは類似しており、これら設備の方法の実施形態はシステムの実施形態を参照できるため、ここでは説明を繰り返さない。
【００６３】
図３に示すように、本発明に係るユーザー設備は、異なるＴＤＤアップ／ダウンリンク配置を利用するキャリア・アグリゲーションを実行する。
【００６４】
前記ユーザー設備は、
専属フィードバックタイミング関係を確認する、第１タイミング関係確認モジュール３００と、
確認した専属フィードバックタイミング関係に基づき、プライマリーキャリアにてダウンリンクデータに対応するフィードバック情報を伝送する、送信モジュール３１０とを備える。
【００６５】
好ましくは、第１タイミング関係確認モジュール３００は、ネットワーク側が配置する専属フィードバックタイミング関係を確認する。
【００６６】
ここで、ネットワーク側配置は、プライマリーキャリアに対応するフィードバックタイミング関係を利用し、専属フィードバックタイミング関係とする。または、ネットワーク側が配置する専属フィードバックタイミング関係に対応するＴＤＤアップ／ダウンリンク配置におけるアップリンクサブフレームは、ユーザー設備が集合させる任意のキャリアにおけるアップリンクサブフレームのサブセットまたはフルセットである。
【００６７】
好ましくは、第１タイミング関係確認モジュール３００は、予め約束した専属フィードバックタイミング関係を確認する。
【００６８】
ここで、プライマリーキャリアに対応するフィードバックタイミング関係を予め約束して利用し、専属フィードバックタイミング関係とする。または、プライマリーキャリアが対応するフィードバックタイミング関係に対応するＴＤＤアップ／ダウンリンク配置は、０または１または２または６であると予め約束した場合、ＴＤＤアップ／ダウンリンク配置２に対応するフィードバックタイミング関係を利用し、専属フィードバックタイミング関係とする。プライマリーキャリアが対応するフィードバックタイミング関係に対応するＴＤＤアップ／ダウンリンク配置は３または４である場合、ＴＤＤアップ／ダウンリンク配置４に対応するフィードバックタイミング関係を利用し、専属フィードバックタイミング関係とする。
【００６９】
好ましくは、第１タイミング関係確認モジュール３００に基づき、〈数１〉または〈数２〉フィードバック情報ビット数を確認する。
【００７０】
好ましくは、第１タイミング関係確認モジュール３００は、対応するＴＤＤアップ／ダウンリンク配置と専属フィードバックタイミング関係に対応するＴＤＤアップ／ダウンリンク配置が異なるキャリアにおいて、専属フィードバックタイミング関係は、アップリンクに対応し、キャリアはダウンリンクに対応する第２特定サブフレームについて、第２特定サブフレームに対し、フィードバック情報を送信する。
【００７１】
好ましくは、第１タイミング関係確認モジュール３００は、対応するＴＤＤアップ／ダウンリンク配置と専属フィードバックタイミング関係に対応するＴＤＤアップ／ダウンリンク配置が異なるキャリアにおいて、専属フィードバックタイミング関係は、アップリンクに対応し、キャリアダウンリンクに対応する第２特定サブフレームについて、前記第２特定サブフレームに対応するフィードバック情報を特別処理する。
【００７２】
好ましくは、第１タイミング関係確認モジュール３００が、前記第２特定サブフレームに対応するフィードバック情報に対し、特別処理する場合、具体的に、第２特定サブフレームに対応するフィードバック情報を送信しない。または、第２特定サブフレームに対応するフィードバック情報と第２特定サブフレームの前または後の直近の少なくとも１つのダウンリンクサブフレームに位置するフィードバック情報を合併し、かつ、第２特定サブフレームの前または後の直近の少なくとも１つのダウンリンクサブフレームのフィードバック情報の位置を占用し、合併後のフィードバック情報を送信する。
【００７３】
図４に示すように、本発明に係るネットワーク側設備は、
専属フィードバックタイミング関係を確認する、第２タイミング関係確認モジュール４００と、
確認した専属フィードバックタイミング関係に基づき、異なるＴＤＤアップ／ダウンリンク配置を利用するキャリア・アグリゲーションを実行するユーザー設備のプライマリーキャリアにてユーザー設備からのフィードバック情報を受信する、受信モジュール４１０と、を備える。
【００７４】
好ましくは、第２タイミング関係確認モジュール４００は、ユーザー設備に専属フィードバックタイミング関係を配置する。
【００７５】
ここで、配置した専属フィードバックタイミング関係とプライマリーキャリアに対応するフィードバックタイミング関係は同じである。または、配置した専属フィードバックタイミング関係に対応するＴＤＤアップ／ダウンリンク配置におけるアップリンクサブフレームは、ユーザー設備が集合させる任意のキャリアにおけるアップリンクサブフレームのサブセットである。
【００７６】
好ましくは、第２タイミング関係確認モジュール４００は、予め約束した専属フィードバックタイミング関係を確認する。
【００７７】
ここで、プライマリーキャリアに対応するフィードバックタイミング関係を予め約束して利用し、専属フィードバックタイミング関係とする。または、プライマリーキャリアが対応するフィードバックタイミング関係に対応するＴＤＤアップ／ダウンリンク配置は０または１または２または６であると予め約束した場合、ＴＤＤアップ／ダウンリンク配置２に対応するフィードバックタイミング関係を利用し、専属フィードバックタイミング関係とする。プライマリーキャリアが対応するフィードバックタイミング関係に対応するＴＤＤアップ／ダウンリンク配置が３または４である場合、ＴＤＤアップ／ダウンリンク配置４に対応するフィードバックタイミング関係を利用し、専属フィードバックタイミング関係とする。
【００７８】
好ましくは、第２タイミング関係確認モジュール４００は、数１または数２による数式に基づき、フィードバック情報ビット数を確認する。
【００７９】
図５に示すように、本発明に係るフィードバック情報の送信方法は、以下のステップ５０１からステップ５０２を備える。
【００８０】
ステップ５０１において、異なるＴＤＤアップ／ダウンリンク配置を利用するキャリア・アグリゲーションを実行するユーザー設備が専属フィードバックタイミング関係を確認する。
【００８１】
ステップ５０２において、異なるＴＤＤアップ／ダウンリンク配置を利用するキャリア・アグリゲーションを実行するユーザー設備が確認した専属フィードバックタイミング関係に基づき、プライマリーキャリアにてダウンリンクデータに対応するフィードバック情報を伝送する。
【００８２】
好ましくは、専属フィードバックタイミング関係は、以下の条件における少なくとも１つを満たす。
【００８３】
（１）専属フィードバックタイミング関係は、Ｒｅｌ−８  ＴＤＤシステムが支援するフィードバックタイミング関係のうちの１つである。即ち、表１における１つである。
【００８４】
（２）専属フィードバックタイミング関係に基づき、確認したダウンリンクデータに対応するフィードバック情報を伝送するアップリンクサブフレームは、プライマリーキャリアにおいてアップリンクサブフレームのサブセットまたはフルセットである。即ち、専属タイミング関係に基づき、ＡＣＫ／ＮＡＣＫフィードバックを行う場合、これに対応するフィードバックサブフレームはプライマリーキャリアにおける少なくとも１つのアップリンクサブフレームである。
【００８５】
好ましくは、ステップ５０１において、ユーザー設備が確認した専属フィードバックタイミング関係は、ネットワーク側が配置してもよく、予め配置してもよい。以下にそれぞれを説明する。
【００８６】
〈方式１〉
専属フィードバックタイミング関係はネットワーク側が配置する。
【００８７】
具体的に、ユーザー設備ネットワーク側が配置する専属フィードバックタイミング関係を確認する。
【００８８】
ここで、ネットワーク側は、プライマリーキャリアに対応するフィードバックタイミング関係を配置し、専属フィードバックタイミング関係とする。または、ネットワーク側が配置する専属フィードバックタイミング関係に対応するＴＤＤアップ／ダウンリンク配置におけるアップリンクサブフレームは、ユーザー設備が集合させる任意のキャリア（ここでの任意のキャリアは任意の１つのキャリアでもよく、任意の複数キャリアでもよい）におけるアップリンクサブフレームのサブセットまたはフルセットである。
【００８９】
〈方式２〉
専属フィードバックタイミング関係は予め約束する。
【００９０】
具体的に、ユーザー設備は、予め約束した専属フィードバックタイミング関係を確認する。
【００９１】
ここで、プライマリーキャリアに対応するフィードバックタイミング関係を予め約束して利用し、専属フィードバックタイミング関係とする。または、プライマリーキャリアが対応するフィードバックタイミング関係に対応するＴＤＤアップ／ダウンリンク配置は、０または１または２または６（表１参照）であると予め約束した場合、ＴＤＤアップ／ダウンリンク配置２に対応するフィードバックタイミング関係を利用し、専属フィードバックタイミング関係とする。プライマリーキャリアが対応するフィードバックタイミング関係に対応するＴＤＤアップ／ダウンリンク配置が３または４（表１参照）である場合、ＴＤＤアップ／ダウンリンク配置４に対応するフィードバックタイミング関係を利用し、専属フィードバックタイミング関係とする。
【００９２】
説明が必要な点として、どの方式を用いたとしても、ネットワーク側設備とユーザー設備は全て同じ専属タイミング関係を利用すべきであり、具体的にプロトコルを介して約束するか、ネットワーク側がどの方式を用いるかを通知できることである。
【００９３】
実施過程において、ステップ５０２の前に、ユーザー設備は、さらにフィードバック情報ビット数を確認できる。
【００９４】
好ましくは、伝送ダウンリンクデータが対応するＡＣＫ／ＮＡＣＫ情報について、ＡＣＫ／ＮＡＣＫ  ｃｏｄｅｂｏｏｋの大きさは、専属のＡＣＫ／ＮＡＣＫフィードバックタイミング関係に基づき、確認する。
【００９５】
具体的に、ユーザー設備は、数１または数２による数式に基づき、フィードバック情報ビット数を確認する。
【００９６】
ユーザー設備とネットワーク側設備は、同じ公式を用いてフィードバック情報ビット数を確認しなければならない。
【００９７】
あるサブフレームについて、専属フィードバックタイミング関係は、おそらくダウンリンクに対応し、キャリアはアップリンクに対応する。または、専属フィードバックタイミング関係は、アップリンクに対応し、キャリアダウンリンクに対応するという状況となる。これらサブフレームに対する好ましい処理方法は、ステップ５０２の前に、対応するＴＤＤアップ／ダウンリンク配置と専属フィードバックタイミング関係に対応するＴＤＤアップ／ダウンリンク配置が異なるキャリアにおいて、専属フィードバックタイミング関係が、ダウンリンクに対応し、キャリアがアップリンクに対応する第１特定サブフレームについて、ユーザー設備は、第１特定サブフレームに対し、フィードバック情報を送信する。
【００９８】
対応するＴＤＤアップ／ダウンリンク配置と専属フィードバックタイミング関係に対応するＴＤＤアップ／ダウンリンク配置が異なるキャリアにおいて、専属フィードバックタイミング関係は、アップリンクに対応し、キャリアダウンリンクに対応する第２特定サブフレームについて、ユーザー設備が前記第２特定サブフレームに対応するフィードバック情報を特別処理する。
【００９９】
前記ユーザー設備が前記第２特定サブフレームに対応するフィードバック情報を特別処理するステップは、第２特定サブフレームに対して、ユーザー設備が第２特定サブフレームへフィードバック情報を送信しないステップと、または、第２特定サブフレームに対応するフィードバック情報と第２特定サブフレームの前または後の直近の少なくとも１つのダウンリンクサブフレームに位置するフィードバック情報を合併し、かつ、第２特定サブフレームの前または後の直近の少なくとも１つのダウンリンクサブフレームのフィードバック情報の位置を占用し、合併後のフィードバック情報を送信するステップと、を備える。
【０１００】
図６に示すように、本発明に係るフィードバック情報の受信方法は、以下のステップ６０１からステップ６０２を備える。
【０１０１】
ステップ６０１において、ネットワーク側設備は、専属フィードバックタイミング関係を確認する。
【０１０２】
ステップ６０２において、ネットワーク側設備は、確認した専属フィードバックタイミング関係に基づき、異なるＴＤＤアップ／ダウンリンク配置を利用するキャリア・アグリゲーションを実行するユーザー設備のプライマリーキャリアにてユーザー設備からのフィードバック情報を受信する。
【０１０３】
好ましくは、専属フィードバックタイミング関係が以下の条件における少なくとも１つを満たす。
【０１０４】
（１）専属フィードバックタイミング関係は、Ｒｅｌ−８  ＴＤＤシステムが支援するフィードバックタイミング関係における１つ、即ち、表１における１つである。
【０１０５】
（２）専属フィードバックタイミング関係に基づき、確認したダウンリンクデータに対応するフィードバック情報を伝送するアップリンクサブフレームは、プライマリーキャリアにおいてアップリンクサブフレームのサブセットまたはフルセットである。即ち、専属タイミング関係に基づき、ＡＣＫ／ＮＡＣＫフィードバックを行う場合、これに対応するフィードバックサブフレームはプライマリーキャリアにおける少なくとも１つのアップリンクサブフレームである。
【０１０６】
好ましくは、ネットワーク側設備が確認した専属フィードバックタイミング関係は、ユーザー設備に配置したものでもよく、予め配置したものでもよい。以下にそれぞれを説明する。
【０１０７】
〈方式１〉
専属フィードバックタイミング関係はネットワーク側を配置する。
【０１０８】
具体的に、ネットワーク側設備は、ユーザー設備に専属フィードバックタイミング関係を配置する。
【０１０９】
ここで、ネットワーク側が配置する専属フィードバックタイミング関係とプライマリーキャリアに対応するフィードバックタイミング関係は同じである。または、ネットワーク側が配置する専属フィードバックタイミング関係に対応するＴＤＤアップ／ダウンリンク配置におけるアップリンクサブフレームは、ユーザー設備が集合させる任意のキャリアにおけるアップリンクサブフレームのサブセットであるまたはフルセットである。
【０１１０】
〈方式２〉
専属フィードバックタイミング関係を予め約束する。  
具体的に、ネットワーク側設備は、予め配置した専属フィードバックタイミング関係を確認する。
【０１１１】
ここで、プライマリーキャリアに対応するフィードバックタイミング関係を予め約束して利用し、専属フィードバックタイミング関係とする。または、プライマリーキャリアが対応するフィードバックタイミング関係に対応するＴＤＤアップ／ダウンリンク配置が０または１または２または６（表１参照）であると予め約束した場合、ＴＤＤアップ／ダウンリンク配置２に対応するフィードバックタイミング関係を利用し、専属フィードバックタイミング関係とする。プライマリーキャリアが対応するフィードバックタイミング関係に対応するＴＤＤアップ／ダウンリンク配置が３または４（表１参照）である場合、ＴＤＤアップ／ダウンリンク配置４に対応するフィードバックタイミング関係を利用し、専属フィードバックタイミング関係とする。
【０１１２】
説明が必要な点として、どの方式を用いたとしても、ネットワーク側設備とユーザー設備は、全て同じ専属タイミング関係を利用すべきである。具体的にプロトコルを介して約束するか、ネットワーク側がどの方式を用いるかを通知できることである。
【０１１３】
実施過程において、ステップ６０２の前に、ネットワーク側設備は、さらにフィードバック情報ビット数を確認できる。
【０１１４】
具体的に、ネットワーク側設備は、〈数１〉または〈数２〉に基づき、フィードバック情報ビット数を確認する。
【０１１５】
ここで、図５と図６は１つのフローを合成し、フィードバック情報を伝送する方法を形成する。即ち、先にステップ５０１とステップ６０１を実行し、さらにステップ５０２を実行し、最後にステップ６０２を実行する。
【０１１６】
ステップ５０１とステップ６０１には必然的な前後の順序はない。もし、専属フィードバックタイミング関係はネットワーク側が配置したものであれば、先にステップ６０１を実行し、さらにステップ５０１を実行する。もし、専属フィードバックタイミング関係は予め配置していれば、先にステップ５０１を実行し、さらにステップ６０１を実行できる。また、先にステップ６０１を実行し、さらにステップ５０１してもよく、同時にステップ５０１とステップ６０１を実行してもよい。
【０１１７】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ利用可能なプログラムコードを含むコンピュータ利用可能な記憶媒体（ディスク記憶装置と光学記憶装置等を含むがそれとは限らない）において実施する。
【０１１８】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１１９】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１２０】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１２１】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１２２】
異なるＴＤＤアップ／ダウンリンク配置を利用するキャリア・アグリゲーション実行後にフィードバック情報を伝送できるため、異なるＴＤＤアップ／ダウンリンク配置を利用するキャリア・アグリゲーション実行後の伝送効率とシステム性能を高める。
【０１２３】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１Ａ】
0005916851.tif 000008
【図１Ｂ】
0005916851.tif 000009
【図１Ｃ】
0005916851.tif 000010
【図２】
0005916851.tif 000011
【図３】
0005916851.tif 000012
【図４】
0005916851.tif 000013
【図５】
0005916851.tif 000014
【図６】
0005916851.tif 000015
【図７】
0005916851.tif 000016
【図８】
0005916851.tif 000017
【図９】
0005916851.tif 000018
【図１０】
0005916851.tif 000019
【図１１】
0005916851.tif 000020
【図１２】
0005916851.tif 000021
【図１３】
0005916851.tif 000022